(57)【要約】【課題】属する画像やグループ名等から希望のアルバムを簡単に探し出すことの可能な電子アルバムを提供する。【解決手段】格納された撮影画像を閲覧するための電子アルバムにおいて、グループ化して撮影画像を記憶する画像記憶部２１と、電子アルバムを開いた際に、閲覧用の撮影画像を表示する画像表示部２７と、表示された情報が電源オフ時にも保持されるものであって、電子アルバムを閉じた際に外側となる表紙に設けられた電子表示体３３と、電子表示体に表示される表紙情報に対する指示を入力するための表示操作部３４と、電子表示体３３に表示操作部３４によって指定された特定のグループに関する情報を表示させると共に、画像表示部２７における撮影画像の表示停止時におけるグループに関する情報を表示する表紙用表示制御部１１ｂと、を備える。【選択図】  図１
2011191382.tif 000002
【特許請求の範囲】
【請求項１】
格納された撮影画像を閲覧するための電子アルバムにおいて、
閲覧用の撮影画像が表示される第１部材と、
上記第１部材に設けられ、閲覧用の撮影画像を表示する画像表示部と、
上記画像表示部に表示する撮影画像を制御する画像用表示制御部と、
上記第１部材に対して開閉可能に設けられ、閉じた状態で上記第１部材の撮影画像が表示される面を保護し、開いた状態で上記第１部材の撮影画像が表示される面を開放する第２部材と、
表示された情報が電源オフ時にも保持されるものであって、上記閉じられた状態で上記第２部材の外側となる面に設けられ、当該電子アルバムに格納されている撮影画像の内容を示す表紙情報を表示する第１の電子表示体と、
上記閉じられた状態で上記第２部材の外側となる面に設けられ、上記第１の電子表示体に表示される上記表紙情報に対する指示を入力するための表示操作部と、
上記第１の電子表示体に上記表紙情報の一部として格納された撮影画像の中の特定のグループに関する情報を表示させるよう制御する表紙用表示制御部と、
を備え、
上記表紙用表示制御部は、上記特定のグループに関する情報として、上記表紙操作部によって切換え可能な特定のグループに関する情報と共に、上記画像用表示制御部が停止される直前に当該画像用制御表示部が表示していた撮影画像に対応するグループに関する情報を表示することを特徴とする電子アルバム。
【請求項２】
上記表紙用表示制御部は、上記特定のグループに関する情報として、グループの名称、当該グループの代表画像、または当該グループの撮影時期の少なくとも１つを表示することを特徴とする請求項１に記載の電子アルバム。
【請求項３】
上記表紙用表示制御部は、上記表紙情報として、格納された全画像の撮影期間を表示することを特徴とする請求項１に記載の電子アルバム。
【請求項４】
上記第１部材と上記第２部材からなるブック形状の電子アルバムの背表紙部分に、表示された情報が電源オフ時にも保持されるものであって、電子アルバムに格納されている撮影画像の内容を示すアルバム情報を表示する第２の電子表示体が設けられ、
上記表紙用表示制御部は、上記第１の電子表示体と共に、当該第２の電子表示体へ表示させる表紙情報の内容を制御する、
ことを特徴とする請求項１に記載の電子アルバム。
【請求項５】
上記画像用表示制御部は、上記第１部材が閉じた状態から開放されて、画像表示を開始する際には、上記電子表示体に表示されている上記特定のグループに対応する撮影画像を上記画像表示部へ表示させることを特徴とする請求項１に記載の電子アルバム。
【請求項６】
上記第１部材と上記第２部材の開閉を検出する開閉検出部を備え、
上記画像用表示制御部は、上記開閉検出部による検出に応じて、上記画像表示部による画像表示の開始及び停止を制御することを特徴とする請求項１に記載の電子アルバム。
【請求項７】
上記表紙操作部は、上記電子表示体に重ねるように配置されたタッチパネルであることを特徴とする請求項１に記載の電子アルバム。
【請求項８】
格納された撮影画像を閲覧するための電子アルバムにおいて、
上記撮影画像を記憶する画像記憶部と、
上記電子アルバムを開いた際に、閲覧用の撮影画像を表示する画像表示部と、
表示された情報が電源オフ時にも保持されるものであって、上記電子アルバムを閉じた際に外側となる表紙に設けられた電子表示体と、
上記電子表示体に表示される表紙情報に対する指示を入力するための表示操作部と、
上記電子表示体に上記表示操作部によって指定された上記撮影画像の特定のグループに関する情報を表示させると共に、上記画像表示部における上記撮影画像の表示停止時におけるグループに関する情報を表示する表紙用表示制御部と、
を備えることを特徴とする電子アルバム。
【発明の詳細な説明】
【技術分野】
【０００１】
本発明は、電子アルバムに関し、詳しくは、表紙に電源をオフしても表示状態を保持することのできる電子ペーパ等の電子表示体を利用した電子アルバムに関する。
【背景技術】
【０００２】
従来、銀塩カメラで撮影された画像は、プリントされ、このプリントをアルバムに貼付し、アルバム単位でプリントを保存および鑑賞することが一般的であった。近年、デジタルカメラが普及してきており、銀塩カメラの時代と同様に、プリントをアルバムで保管するユーザが存在する一方で、表示装置が小型化されたことから、電子的なアルバムも登場している。
【０００３】
この電子アルバムのタイプとして、次のような２つの例が知られている。第１の例に係わる電子アルバムは、ＬＣＤ等の薄型表示装置に画像を表示させるものであって、Ａ４やＢ５サイズ程度で見かけの全体形状を従来の紙のアルバム形状に類似させ、内部に大型のメモリと画像再生部を備えている（特許文献１参照）。また、第２の例に係わる電子アルバムは、従来の紙のアルバムに近いものであり、プリント紙と台紙が電子ペーパで構成され、一冊のアルバムに電子ペーパを複数枚綴じ込んでいる。電子ペーパであることから、電源を供給しなくても画像が表示される点で、第１の例に係わる電子アルバムより優れている（特許文献２参照）。
【先行技術文献】
【特許文献】
【０００４】
【特許文献１】特開２００６−１８０２０号公報
【特許文献２】特開２００７−３３３７９７号公報
【発明の概要】
【発明が解決しようとする課題】
【０００５】
電子アルバムが低価格になると、電子アルバムも日用品化し、１つの電子アルバムに全ての画像を保管するのではなく、従来の紙のアルバムと同様に、年代別や個人別の電子アルバムが棚に複数冊並べられる環境になると想定される。この場合、前述の第１の例の電子アルバムでは、いちいち起動させて画像を見て、目的とする電子アルバムを探さなければならず不便である。また、第２の例の電子アルバムでは、電子ペーパを利用していることから、電源をオンとしなくても画像を見ることは可能である。しかし、電子アルバム内に保管されている画像のインデックスから、電子アルバムの内容を判別することは必ずしも容易ではない。このように複数の電子アルバムが有る場合には、各電子アルバムに通し番号を付し、管理することが一般的な手法であるが、特に撮影期間で分類できないような場合には、あまり効果的ではない。
【０００６】
本発明は、このような事情を鑑みてなされたものであり、属する画像やグループ名等から希望のアルバムを簡単に探し出すことの可能な電子アルバムを提供することを目的とする。
【課題を解決するための手段】
【０００７】
上記目的を達成するため第１の発明に係わる電子アルバムは、格納された撮影画像を閲覧するための電子アルバムにおいて、閲覧用の撮影画像が表示される第１部材と、上記第１部材に設けられ、閲覧用の撮影画像を表示する画像表示部と、上記画像表示部に表示する撮影画像を制御する画像用表示制御部と、上記第１部材に対して開閉可能に設けられ、閉じた状態で上記第１部材の撮影画像が表示される面を保護し、開いた状態で上記第１部材の撮影画像が表示される面を開放する第２部材と、表示された情報が電源オフ時にも保持されるものであって、上記閉じられた状態で上記第２部材の外側となる面に設けられ、当該電子アルバムに格納されている撮影画像の内容を示す表紙情報を表示する第１の電子表示体と、上記閉じられた状態で上記第２部材の外側となる面に設けられ、上記第１の電子表示体に表示される上記表紙情報に対する指示を入力するための表示操作部と、上記第１の電子表示体に上記表紙情報の一部として格納された撮影画像の中の特定のグループに関する情報を表示させるよう制御する表紙用表示制御部と、を備え、上記表紙用表示制御部は、上記特定部グループに関する情報として、上記表紙操作部によって切換え可能な特定のグループに関する情報と共に、上記画像用表示制御部が停止される直前に当該画像用制御表示部が表示していた撮影画像に対応するグループに関する情報を表示する。
【０００８】
第２の発明に係わる電子アルバムは、上記第１の発明において、上記表紙用表示制御部は、上記特定のグループに関する情報として、グループの名称、当該グループの代表画像、または当該グループの撮影時期の少なくとも１つを表示する。
第３の発明に係わる電子アルバムは、上記第１の発明において、上記表紙用表示制御部は、上記表紙情報として、格納された全画像の撮影期間を表示する。
【０００９】
第４の発明に係わる電子アルバムは、上記第１の発明において、上記第１部材と上記第２部材からなるブック形状の電子アルバムの背表紙部分に、表示された情報が電源オフ時にも保持されるものであって、電子アルバムに格納されている撮影画像の内容を示すアルバム情報を表示する第２の電子表示体が設けられ、上記表紙用表示制御部は、上記第１の電子表示体と共に、当該第２の電子表示体へ表示させる表紙情報の内容を制御する。
【００１０】
第５の発明に係わる電子アルバムは、上記第１の発明において、上記画像用表示制御部は、上記第１部材が閉じた状態から開放されて、画像表示を開始する際には、上記電子表示体に表示されている上記特定のグループに対応する撮影画像を上記画像表示部へ表示させる。
【００１１】
第６の発明に係わる電子アルバムは、上記第１の発明において、上記第１部材と上記第２部材の開閉を検出する開閉検出部を備え、上記画像用表示制御部は、上記開閉検出部による検出に応じて、上記画像表示部による画像表示の開始及び停止を制御する。
第７の発明に係わる電子アルバムは、上記第１の発明において、上記表紙操作部は、上記電子表示体に重ねるように配置されたタッチパネルである。
【００１２】
第８の発明に係わる電子アルバムは、格納された撮影画像を閲覧するための電子アルバムにおいて、上記撮影画像を記憶する画像記憶部と、上記電子アルバムを開いた際に、閲覧用の撮影画像を表示する画像表示部と、表示された情報が電源オフ時にも保持されるものであって、上記電子アルバムを閉じた際に外側となる表紙に設けられた電子表示体と、上記電子表示体に表示される表紙情報に対する指示を入力するための表示操作部と、上記電子表示体に上記表示操作部によって指定された上記撮影画像の特定のグループに関する情報を表示させると共に、上記画像表示部における上記撮影画像の表示停止時におけるグループに関する情報を表示する表紙用表示制御部と、を備える。
【発明の効果】
【００１３】
本発明によれば、属する画像やグループ名等から希望のアルバムを簡単に探し出すことの可能な電子アルバムを提供することができる。また、第１の発明によれば、電源をオンして電子アルバムを実際に起動させなくても、表紙に切換え可能な特定グループに関する情報と、電子アルバムの停止直前に表示されていたグループに関する情報が表示されているので、簡単に電子アルバムの検索を行うことができる。
【００１４】
また、第２の発明によれば、特定のグループに関する情報として、グループ名称等の少なくても１つが表示されることから、検索が容易となる。第３の発明によれば、表紙情報として格納された全画像の撮影期間が表示されることから、検索が容易となる。
【００１５】
さらに第４の発明によれば、棚に並んで置かれたような状態でも、背表紙に部分にアルバム情報が表示されることから、アルバム選択が容易となる。第５の発明によれば、閉じた状態から開いた状態になると、特定のグループに対応する撮影画像から表示を開始するので、前回の続きを直ちに再表示することができる。
【００１６】
さらに、第６の発明によれば、電子アルバムを開閉するだけで直ちに表示の開始や停止を行うことができ、便利である。第７の発明によれば、表示をタッチするだけで、操作を指示することができ、便利である。第８の発明によれば、グループに関する情報に基づいて、希望の電子アルバムを簡単に探し出すことが可能となる。
【図面の簡単な説明】
【００１７】
【図１】本発明の一実施形態に係わる電子アルバムの主として電気回路の構成を示すブロック図である。
【図２】本発明の一実施形態に係わる電子アルバムの使用状態を示す図であり、（ａ）は電子アルバムの表示状態の一例を示し、（ｂ）は（ａ）に示す電子アルバムの「グループ進むＳＷ」を操作したときの電子アルバムの表示状態を示す。
【図３】本発明の一実施形態に係わる電子アルバムの使用状態を示す図であり、（ａ）は電子アルバムを開いた状態での表示を示し、（ｂ）は電子アルバムを開いた状態で「単純送りアイコン」をクリックした状態の表示を示し、（ｃ）はさらに「Ｆ春休み」のタブをクリックした状態の表示を示す。
【図４】本発明の一実施形態に係わる電子アルバムの動作を示すフローチャートである。
【図５】本発明の一実施形態に係わる電子アルバムの動作を示すフローチャートである。
【図６】本発明の一実施形態に係わる電子アルバムの第１の変形例を示す外観図である。
【図７】本発明の一実施形態に係わる電子アルバムの第２の変形例を示し、（ａ）は電子アルバムを閉じた状態での外観図であり、（ｂ）は電子アルバムを開いた状態での外観図である。
【発明を実施するための形態】
【００１８】
本発明を適用した電子アルバム装置を用いて好ましい実施形態について説明する。概略、本発明の好ましい一実施形態に係わる電子アルバム装置は、表紙は無通電でも表示可能な電子ペーパ等の電子表示体を採用し、電子アルバム装置を開いた際に露出する面には給電されると表示可能な液晶等の画像表示部を採用している。そして、電子アルバム装置の表紙には、ユーザが予め選択した画像のグループ名と代表画像等が表示されると共に、最後に鑑賞した画像のグループ名と代表画像が表示される。
【００１９】
以下、図面に従って本発明を適用した電子アルバム装置１０を用いて好ましい実施形態について説明する。図１は、本発明の一実施形態に係わる電子アルバム装置１０の構成を示すブロック図である。
【００２０】
電子アルバム装置１０内の制御部（ＣＰＵ：Central Processing Unit）１１は、プログラム／データ記憶部１２に記憶された制御プログラムに従って動作し、電子アルバム装置１０の全体制御を行う。制御部１１内には、入力検出部１１ａ、表紙用表示制御部１１ｂ、画像用表示制御部１１ｃ、アルバム管理部１１ｄが設けられている。制御部１１内の１１ａ〜１１ｄは、制御プログラムにより実行される処理の一部であるので、特徴的な処理について制御部１１に含まれる機能部として説明する。
【００２１】
制御部１１内の入力検出部１１ａは、後述する電源スイッチ４１、開閉スイッチ４０、表紙操作部３４、およびタッチパネル３０に接続されており、これらの操作部材等の操作状態を検出する。すなわち、電子アルバム装置１０の電源のオンオフ状態、表示画面の開閉状態、表示画面のユーザのタッチ状態を検出することができる。
【００２２】
表紙用表示制御部１１ｂは、電子アルバム装置１０の表紙面に表示する情報の制御を行う。すなわち、表紙用表示制御部１１ｂは、表紙面に表示する撮影画像の中の特定グループ（後述するＡグループ）に関する画像を含む情報の表示を制御する。この特定グループに関する情報の表示は、ユーザによって切換えが可能であり、特定グループに関する情報としては、グループの名称（後述するグループ名３３ｂ）、グループの代表画像（グループ代表画像３３ｃ）、またはグループの撮影期間（グループ期間３３ｄ）あるいは撮影時期の少なくとも１つを表示する。
【００２３】
また、表紙用表示制御部１１ｂは、特定グループに関する情報の表示と共に、電子アルバム装置１０の表示動作が停止される直前に表示画面に表示されていた撮影画像に対応するグループ（後述するＢグループ）に関する情報も表示する。また、表示用表示制御部１１ｂは、表示情報として、電子アルバム装置１０に格納されている全画像の撮影期間を表示する（後述する全体期間３３ａ）。
【００２４】
画像用表示制御部１１ｃは、電子アルバム装置１０の撮影画像の表示面を開いた際に、この表示面に表示する撮影画像の制御を行う。すなわち撮影画像は後述する画像表示部２７の表示面に表示されるが、画像用表示制御部１１ｃは、画像表示部２７で表示する撮影画像の制御を行う。また、画像用表示制御部１１ｃは、電子アルバム装置１０の画像表示部２７の表示面が開かれ、画像表示を開始する際には、表紙に表示されている特定グループに対応する撮影画像を画像表示部２７に表示させる。さらに、画像用表示制御部１１ｃは、入力検出部１１ａによる開閉スイッチ４０の検出結果に応じて、画像表示部２７における画像表示の開始および停止を制御する。
【００２５】
アルバム管理部１１ｄは、電子アルバム装置１０の画像記憶部２１に記憶される画像の管理を行う。すなわち、記憶されている画像ナンバー毎のグループ名やグループの撮影期間等の情報の管理を行う。
【００２６】
制御部１１には、プログラム／データ記憶部１２、電源スイッチ４１、開閉スイッチ４０、表紙操作部３４、タッチパネル３０、及びバス３５が接続されている。プログラム／データ記憶部１２には前述したように制御部１１において実行するプログラムが記憶されており、また各種データも記憶されている。
【００２７】
電源スイッチ４１は、電子アルバム装置１０の電源オンオフを行うための操作スイッチであり、本実施形態においては、図２（ａ）に示すように、背表紙の部分に配置されているが、電子アルバム装置１０の外部から操作できる位置であれば背表紙以外でも勿論かまわない。開閉スイッチ４０は、電子アルバム装置１０の画像表示部２７の表示面の開閉状態を検知するための検知スイッチであり、本実施形態においては、図３（ａ）に示すように、各表示面にそれぞれ設けられている。なお、開閉スイッチ４０としては、メカスイッチや、光電素子を利用した光電スイッチ等、表示面の開閉状態を検知可能なスイッチであればよい。
【００２８】
表紙操作部３４は、タッチパネルを含み、電子アルバム装置１０の表紙に配置されている。表紙には、図２（ａ）に示すように、種々の表示がなされており、表紙操作部３４は、ユーザがタッチした位置に応じた検出信号を出力する。なお、ユーザがタッチしたことを検出することができれば、タッチパネル以外にも、例えば、名スイッチでも構わない。
【００２９】
タッチパネル３０は、電子アルバム装置１０を開いた際の表示面に、すなわち画像表示部２７の表示面に設けられている。タッチパネル３０は、ユーザがタッチした部分に応じた検出信号を出力する。
【００３０】
バス３５には、前述の制御部１１の他に、ＳＤＲＡＭ（Dynamic Random Access Memory）２４、画像処理部２５、伸張部２３、画像表示駆動部２６、表紙表示駆動部３１が接続されている。ＳＤＲＡＭ２４は電気的に書き換え可能な揮発性の一時記憶メモリであり、画像記憶部２１に書き込むための画像データや、読み出された画像データ等の一時記憶に用いられる。画像処理部２５は、画像データのデジタル的増幅、色補正、ガンマ（γ）補正、コントラスト補正等の各種の画像処理を行なう。
【００３１】
伸張部２３は、ＪＰＥＧやＴＩＦＦ等の圧縮方式により圧縮して画像記憶部２１に記憶された画像データを表示等のために伸張する回路である。なお、画像圧縮はＪＰＥＧやＴＩＦＦに限らず、他の圧縮方式も適用できる。伸張部２３に接続された再生部２２は、画像記憶部２１に記録された画像の画像データを読み出す。この読み出された画像データは、伸張部２３において伸張される。画像記憶部２１は、再生部２２に接続されており、電子アルバム装置１０に内蔵、または装填可能な画像データの記録媒体である。
【００３２】
画像表示駆動部２６は、画像表示部２７に表示する画像の表示駆動を行う。すなわち、画像用表示制御部１１ｃからの制御信号に従って、画像記憶部２１から読み出された画像の画像データに基づいて、画像表示部２７に画像の表示駆動を行う。画像表示駆動部２６に接続された画像表示部２７は、電子アルバム装置１０を開いた際の表示面に画像を表示する表示部である。画像表示部２７は、液晶ディスプレイ等、電源オン時に表示を開始し、電源オフによって表示を終了する。後述するように第１部材５０に設けられた画像表示部２７Ａと、第２部材６０に設けられた画像表示部２７Ｂとから構成される。
【００３３】
なお、画像表示部２７Ａと画像表示部２７Ｂの前面には、前述したように、タッチパネル３０が配置されている。すなわち、図３（ａ）に示すように、画像表示部２７Ａにはタッチパネル３０ａが、画像表示部２７Ｂにはタッチパネル３０ｂが、それぞれ配置されている（タッチパネル３０は、タッチパネル３０ａ、３０ｂを総称する）。
【００３４】
表紙表示駆動部３１は、電子アルバム装置１０の表紙に配置された電子表示体３３と第２電子表示体３２に表示する画像の表示駆動を行う。すなわち、画像用表示制御部１１ｃからの制御信号に従って、図２（ａ）に示すような各種画像や、グループ名や撮影期間等の情報の表示駆動を行う。
【００３５】
表紙表示駆動部３１に接続された電子表示体３３および第２電子表示体３２は、一体の電子ペーパで構成される。電子アルバム装置１０の表紙にあたる部分が電子表示体３３であり、また電子アルバム装置１０の背表紙にあたる部分が第２電子表示体３２である。なお、電子ペーパは、文字や画像等を表示可能であり、一旦表示状態にすると、電源をオフしても表示状態が保持される。従って、電子表示体３３および第２電子表示体３２は、電源オフ状態でも表示が保持されるものであれば、電子ペーパ以外のものであっても勿論かまわない。
【００３６】
次に、本実施形態に係わる電子アルバム装置の外観と、その使用方法について、図２および図３を用いて説明する。図２（ａ）（ｂ）は、電子アルバム装置１０の撮影画像の表示面を閉じた状態を示す外観斜視図である。電子アルバム装置１０は、第１部材５０と第２部材６０とから構成され、第２部材６０は表紙７１、背表紙７２、および画像表示部２７Ｂ（図３（ａ）参照）等を含む。また、第１部材５０は画像表示部２７Ａ（図３（ａ）参照）を含む。
【００３７】
表紙７１は、電子表示体３３と表紙操作部３４から構成される。電子表示体３３には、電子アルバム装置１０の画像記憶部２７に記憶されている全画像の撮影期間を示す全体期間３３ａが表示されている。また、電子表示体３３には、グループ名３３ｂ、グループ代表画像３３ｃ、グループ期間３３ｄからなるＡグループの情報が表示されている。さらに、電子表示体３３には、グループ名３３ｇ、グループ代表画像３３ｈ、グループ期間３３ｉからなるＢグループの情報が表示されている。
【００３８】
電子アルバム装置１０の画像記憶部２７に記憶されている全画像は、入学式、海、山等、ユーザが予め決めたグループに分類分けして記憶されている。グループ名３３ｂ、３３ｇは、この分類分けされたグループの名称である。グループ代表画像３３ｃ、３３ｈは、各グループに属する画像の中で、ユーザが代表画像として選択した画像、または自動的に選択した画像である（自動選択としては、例えば、各グループ内で最新の画像または最古の画像）。グループ期間３３ｄ、３３ｉは、各グループに属する画像の撮影期間である。前述のＡグループは、ユーザが予め選択したグループであり、またＢグループは、画像用表示制御部１１ｃが電子アルバム装置１０を閉じた際や電源オフ等により停止される直前に画像表示部２７に表示していた撮影画像に対応するグループである。
【００３９】
また、電子表示体３３は、グループ進みスイッチ３３ｅおよびグループ戻りスイッチ３３ｆを表示する。この両スイッチは、前述のグループ名３３ｂの両脇に表示されており、表紙操作部３４は、ユーザによるスイッチのタッチを検出する。グループ進みスイッチ３３ｅは、複数あるグループの内から、ユーザが次のグループを選択する場合にタッチするための表示である。また、グループ戻りスイッチ３３ｆは、複数あるグループの内から、ユーザが前のグループを選択する場合にタッチするための表示である。
【００４０】
背表紙７２は、第２電子表示体３２と電源スイッチ４１から構成される。第２電子表示体３２には、全体期間３２ｋが表示されており、この全体期間３２ｋは、全体期間３３ａの場合と同様、画像記憶部２７に記憶されている全画像の撮影期間を示す。また、第２電子表示体３２には、表紙７１におけるＡグループの表示と同じく、グループ名３２ｍ、グループ期間３２ｎ、およびグループ代表画像３２ｐが表示されている。
【００４１】
このように、電子アルバム装置１０の外観は構成されており、ユーザがグループ進みスイッチ３３ｅをタッチすると、グループ名３３ｂは、次のグループに進む。図２（ａ）（ｂ）に示した例では、最初、グループ名３３ｂは、「Ｅ  沖縄旅行」であり、グループ進みスイッチ３３ｅをタッチすることにより、次のグループである「Ｆ  春休み」に進む。また、グループ名３３ｂが切り換わると、これに伴ってグループ期間３３ｄおよびグループ代表画像３３ｃも変更される。また、表紙７１のＡグループの表示が切り換わると、これに伴って、背表紙７２におけるグループ名３２ｍが切り換わり、グループ期間３２ｎおよびグループ代表画像３２ｐも切り換わる。
【００４２】
ただし、グループ進みスイッチ３３ｅをタッチした場合であっても、Ｂグループに属する最後のグループ名３３ｈ、最後のグループ代表画像３３ｇ、および最後のグループ期間３３ｉは切り換わることはない。前述したようにＢグループの表示は、ユーザによって切り換えることはできず、電源オフ時や電子アルバム装置１０を閉じた際に、ユーザが最後に見ていた画像のグループによって切り換わるからである。
【００４３】
次に、図２（ａ）（ｂ）に示すような電子アルバム装置１０の撮影画像の表示面を閉じた状態から、図３（ａ）〜（ｃ）に示すように電子アルバム装置１０を開いた状態について説明する。図３（ａ）に示す電子アルバム装置１０の左側は、第２部材６０の表示面であり、画像表示部２７Ｂとタッチパネル３０Ｂとから構成されて、右側は、第１部材５０の表示面であり、画像表示部２７Ａとタッチパネル３０Ａとから構成されている。
【００４４】
第２部材６０の表示面の上部には、画像表示部２７Ｂによってグループ名２７ａが表示され（図３（ａ）に示す例では、「Ｅ  沖縄旅行」）、またグループ名２７ａの直ぐ下側には、グループ期間２７ｂが表示されている（図３（ａ）に示す例では、「２００６．０１．１５〜２００６．０１．２５」）。
【００４５】
第２部材６０の表示面の左側には、グループタブ２７ｄが示されている（図３（ａ）に示す例では、「Ａ  入学式」「Ｂ  海」「Ｃ  山」「Ｄ  ２００５．１２」「Ｅ  沖縄」）。また、第１部材５０の表示面の右側にもグループタブ２７ｄが示されている（図３（ａ）の例では、「Ｆ  春休み」「Ｇ  ＧＷ」「Ｈ  ２００７．９」「Ｉ  春休み」）。グループタブ２７ｄの内の「Ｅ  沖縄」が現在、選択されていることから黒文字で表示され、他のグループタブ２７ｄは白抜き文字で表示されている。
【００４６】
第１部材５０および第２部材６０の各表示面の中央の大部分には、各画像２７ｃが表示されている。図３（ａ）に示す例では、Ｅ沖縄に属する画像Ｎｏ．Ｅ−１〜Ｅ−１１の画像が表示されている。また、第１部材５０の表示面の下部には、各画像２７ｃの各ページの送りや戻し操作を行うためのアイコンが表示されている。本実施形態におけるアイコンとしては、１ページずつページ送りを指示するための単純送りアイコン２７ｈ、１ページずつページ戻しを指示するための単純戻しアイコン２７ｇが表示されている。また、複数ページ（例えば、２〜４ページ）ずつページ送りを指示するための複数送りアイコン２７ｉ、複数ページずつページ戻しを指示するための複数戻しアイコン２７ｆが表示されている。
【００４７】
第１部材５０の表示面の右下には開閉スイッチ４０ｂが配置され、また第２部材６０の表示面の左下には開閉スイッチ４０ａが配置されている。図３の例では、開閉スイッチ４０はメカスイッチを採用していることから、開閉スイッチ４０ａ、４０ｂのいずれか一方は突起状となっており、電子アルバム装置１０を開閉に応じて、開閉スイッチ４０ａ、４０ｂはオンオフ状態が変化する。
【００４８】
図３（ａ）の状態において、単純送りアイコン２７ｈがタッチされると、図３（ｂ）に示すように、画像２７ｃが１ページ分、送り操作がなされる。すなわち、図示の例では、図３（ａ）では画像Ｎｏ．Ｅ−１〜Ｅ−１１の画像２７ｃが表示されているが、単純送りアイコン２７ｈがタッチされると、画像Ｎｏ．Ｅ−７〜Ｅ１７の画像２７ｃに１ページ分画像が送り操作される。
【００４９】
また、グループタブ２７ｄがタッチされると、グループが切り換えられる。例えば、図３（ｂ）の状態で、グループタブ２７ｄの内の「Ｆ  春休み」がタッチされると、図３（ｃ）に示すように、グループ名２７ａが「Ｆ  春休み」に変更され、画像２７ｃも「Ｆ  春休み」に属する画像に変更され（画像Ｎｏ．Ｆ−７〜Ｆ１７）、グループタブ２７ｄも「Ｆ  春休み」の文字が黒文字に変更され、他のグループタブ２７ｄは白抜き文字となる。
【００５０】
次に、本実施形態における動作を図４および図５に示すフローチャートを用いて説明する。このフローはプログラム／データ記憶部１２に記憶されているプログラムに従って制御部１１によって実行される。このフローがスタートすると、まず、電源スイッチ４１がオンか否かの判定を行う（Ｓ１１）。ここでは、入力検出部１１ａが背表紙に設けられた電源スイッチ４１の状態に基づいて判定する。
【００５１】
ステップＳ１１における判定の結果、電源スイッチがオンではなかった場合には、次に、アルバム開閉スイッチがオンか否かの判定を行う（Ｓ１２）。ここでは、入力検出部１１ａが電子アルバム装置１０の撮影画像の表示面に設けられた開閉スイッチ４０の状態に基づいて判定する。電源スイッチ４１がオンでない場合であっても、電子アルバム装置１０が開かれた場合には、撮影画像の表示を開始するために、このステップでは、開閉スイッチ４０の状態を検出している。ステップＳ１２における判定の結果、開閉スイッチ４０がオンではなかった場合には、ステップＳ１１に戻る。
【００５２】
ステップＳ１１における判定の結果、電源スイッチ４１がオンであった場合には、次に、電子アルバム装置１０の起動を行う（Ｓ１３）。これによって、電池３７の電源電圧が電子アルバム装置１０に給電される。
【００５３】
アルバム起動を行うと、次に、表紙のＡグループへの切換え操作が行われたか否かの判定を行う（Ｓ１４）。ここでは、表紙７１に表示されているグループ進みスイッチ３３ｅまたはグループ戻りスイッチ３３ｆが、ユーザによってタッチされたか否かを、入力検出部１１ａが表紙操作部３４からの検知信号に基づいて判定する。
【００５４】
ステップＳ１４における判定の結果、Ａグループへの切換え操作がなされた場合には、次に、対応するグループ情報と代表画像の読出しを行う（Ｓ１５）。ここでは、グループ進みスイッチ３３ｅまたはグループ戻りスイッチ３３ｆのいずれがタッチされたかに応じて、グループを決定し、表紙用表示制御部１１ｂは、このグループのグループ情報と代表画像を画像記憶部２１から読み出す。
【００５５】
グループ情報および代表画像の読出しを行うと、次に、表紙のＡグループについての内容を変更する（Ｓ１６）。ここでは、ステップＳ１５において読出したグループ情報と代表画像を用いて、表紙用表示制御部１１ｂは、表紙７１および背表紙７２のＡグループ、すなわち、グループ名３３ｂ、３２ｍ、代表画像３３ｃ、３２ｐ、およびグループ期間３３ｄ、３２ｋの表示を変更する。
【００５６】
Ａグループの内容変更を行うと、またはステップＳ１４における判定の結果、切換え操作がなされていなかった場合には、次に、開閉スイッチ４０がオンか否かの判定を行う（Ｓ１７）。電源スイッチ４１をオンとした後、さらに電子アルバム装置１０が開かれたか否かを判定するために、このステップでは、入力検出部１１ａが開閉スイッチ４０の操作状態を検出し、開閉スイッチ４０がオンであるか否かを判定する。
【００５７】
ステップＳ１７における判定の結果、開閉スイッチ４０がオンでなかった場合には、次に、背表紙に設けられた電源スイッチ４１がオフか否かを判定する（Ｓ１８）。ここでは、電子アルバム装置１０の電源をオフするために、電源スイッチ４１を操作したか否かを、入力検出部１１ａが判定する。この判定の結果、電源スイッチ４１がオフでなかった場合には、ステップＳ１４に戻る。一方、電源スイッチ４１がオフであれば、再生表示のためのフローを終了する。
【００５８】
ステップＳ１７における判定の結果、開閉スイッチ４０がオンであれば、次に、Ａグループの画像を画像記憶部２１から読み出す（Ｓ３１）。ここでは、ステップＳ１５において読み出したグループの画像２７ｃを画像記憶部２１から読み出す。読出しにあたっては、図３（ａ）に示したように、第１部材５０の画像表示部２７Ａと、第２部材６０の画像表示部２７Ｂに表示するだけの数の画像２７ｃを読み出す。本実施形態においては、表紙７１にＡグループとして表示されているグループに属する画像２７ｃを読出し、次のステップＳ３４において、Ａグループの画像を表示するようにしている。このため、ユーザは、お気に入りのグループをＡグループとして設定しておくことにより、電子アルバム装置１０を開くと、直ちにお気に入りのグループの撮影画像を鑑賞することができる。
【００５９】
ステップＳ１２における判定の結果、アルバム開閉スイッチ４０がオンであった場合には、次に、電子アルバム装置１０の起動を行う（Ｓ３２）。ステップＳ１２からステップＳ３２に進む場合には、電源スイッチ４１が未操作であることから、起動操作がなされていない。そこで、このステップＳ３２において起動処理を行う。
【００６０】
アルバム起動を行うと、次に、最後のグループ、すなわちＢグループに属する画像２７ｃの読出しを行う（Ｓ３３）。ステップＳ３１と同様に、Ａグループの画像を画像記憶部２１から読み出すようにしてもよいが、本実施形態においては、前回、電子アルバム装置１０を閉じた直前に見ていた最後のグループ、すなわちＢグループに属する画像２７ｃを読み出すようにしている。電源スイッチ４１を操作せずに、いきなり電子アルバム装置１０を開く場合は、アルバムを閉じてから直ぐに開く場合が多く、その場合には、ユーザは最後に鑑賞していた画像の続きから再開することを望むことが多いからである。
【００６１】
ステップＳ３３においてＢグループの画像を読み出すと、またはステップＳ３１においてＡグループの画像を読み出すと、次に、撮影画像の表示を行う（Ｓ３４）。ここでは、ステップＳ３１、Ｓ３３において読み出したＡグループまたはＢグループの画像を、図３（ａ）に示すように、画像表示部２７Ａ、２７Ｂに表示する。
【００６２】
撮影画像の表示を行うと、次に、単純進み戻しアイコンが操作されたか否かの判定を行う（Ｓ３５）。ユーザは、画像表示部２７Ａ、２７Ｂに表示されている画像２７ｃの１ページ送り、または１ページ戻しを行いたい場合には、単純送りアイコン２７ｈ、または単純戻しアイコン２７ｇをタッチする。そこで、このステップでは、入力検出部１１ａが、これらのアイコンをタッチしたか否かの判定を行う。
【００６３】
ステップＳ３５における判定の結果、単純進み、または単純戻しアイコンが操作された場合には、次に、前または後ページの画像を読み出し（Ｓ３６）、この読み出した画像を画像表示部２７Ａ、２７Ｂに表示する（Ｓ３７）。図３（ａ）（ｂ）を用いて説明したように、単純進みアイコン２７ｈまたは単純戻しアイコン２７ｇがタッチされた場合には、画像用表示制御部１１ｃは、画像表示部２７Ａ、２７Ｂに表示されている撮影画像の１ページ分、進みまたは戻された画像を画像記憶部２１から読み出し、これらの画像を表示する。
【００６４】
ステップＳ３７において画像の表示を行うと、またはステップＳ３５における判定の結果、単純進みまたは戻しアイコンが操作されていなかった場合には、次に、複数進みまたは複数戻しアイコンが操作されたか否かの判定を行う（Ｓ３８）。ユーザは、画像表示部２７Ａ、２７Ｂに表示されている画像２７ｃの複数ページ送り、または複数ページ戻しを行いたい場合には、ユーザが複数送りアイコン２７ｉ、複数戻しアイコン２７ｆをタッチする。そこで、このステップでは、入力検出部１１ａが、これらのアイコンをタッチしたか否かの判定を行う。
【００６５】
ステップＳ３８における判定の結果、複数進み、または複数戻しアイコンが操作された場合には、次に、指示ページの画像を読み出し（Ｓ３９）、この読み出した画像を画像表示部２７Ａ、２７Ｂに表示する（Ｓ４０）。すなわち、複数進みアイコン２７ｉまたは複数戻しアイコン２７ｆがタッチされた場合には、画像用表示制御部１１ｃは、画像表示部２７Ａ、２７Ｂに表示されている撮影画像の複数ページ分、進みまたは戻された画像を画像記憶部２１から読み出し、これらの画像を表示する。複数ページとしては、本実施形態においては、例えば、２〜４ページの間のいずれかのページ数とするが、これ以外の数値でも勿論かまわない。
【００６６】
ステップＳ４０において画像の表示を行うと、またはステップＳ３８における判定の結果、複数進みまたは戻しアイコンが操作されていなかった場合には、次に、タブ指示がなされたか否かの判定を行う（Ｓ４１）。図３（ｃ）を用いて説明したように、グループタブ２７ｄのいずれかがタッチされた場合には、タッチされたタブに属する画像を読出して表示する。このステップでは、入力検出部１１ａが、グループタブ２７ｄがタッチされたか否かを判定する。
【００６７】
ステップＳ４１における判定の結果、タブ指示がなされた場合には、次に、指示グループの読出し（Ｓ４２）、読み出した画像を表示する（Ｓ４３）。ここでは、タッチされたグループタブ２７ｄがいずれのタブであるか（図３に示す例では、Ａ入学式〜Ｉ夏休みのいずれであるか）を判定し、この判定の結果に基づいて、画像用表示制御部１１ｃは、そのグループのグループ情報（グループ名２７ａ、グループ期間）とグループに属する画像２７ｃを、画像記憶部２１から読み出す。そして、読み出された画像２７ｃとグループ情報を画像表示部２７Ａ、２７Ｂに表示する。
【００６８】
ステップＳ４３において画像の表示を行うと、またはステップＳ４１における判定の結果、タブ指示がなされていなかった場合には、次に、ステップＳ１７と同様に、開閉スイッチ４０がオンか否かの判定を行う（Ｓ４４）。ここでは、入力検出部１１ａは開閉スイッチ４０の操作状態を検出し、開閉スイッチ４０がオンであるか否かを判定する。
【００６９】
ステップＳ４４における判定の結果、開閉スイッチ４０がオンの場合、すなわち、電子アルバム装置１０の撮影画像の表示面が閉じられた場合には、表紙のＢグループを最後の画像のグループに書換える（Ｓ４５）。本実施形態においては、表紙７１に表示されるＢグループ、すなわち、グループ名３３ｈ、グループ期間３３ｉ、グループ代表画像３３ｇは、ユーザが最後に閲覧していたグループに関する情報や画像を表示するようにしている。ステップＳ４４において、電子アルバム装置１０の撮影画像の表示面が閉じられたことを検出すると、表紙用表示制御部１１ｂは、このステップＳ４５において、ユーザが閲覧していたグループに関する情報等の書き換えを行う。
【００７０】
ステップＳ４４における判定の結果、開閉スイッチ４０がオンではなかった場合、すなわち、電子アルバム装置１０の撮影画像の表示面が開いたままであった場合には、次に、ステップＳ１８と同様に、背表紙に設けられた電源スイッチ４１がオフか否かの判定を行う（Ｓ４６）。ここでは、電子アルバム装置１０の電源をオフするために、電源スイッチ４１を操作したか否かを、入力検出部１１ａによって判定する。この判定の結果、電源スイッチ４１がオンのままであった場合には、ステップＳ３５に戻る。
【００７１】
一方、ステップＳ４６における判定の結果、電源スイッチ４１がオフであれば、次に、表紙のＢグループの書き換えをしていない場合には、最後の画像のグループに書き換えを行う（Ｓ４７）。電源スイッチ４１をオフすることなく、電子アルバム装置１０の撮影画像の表示面を閉じた場合には、ステップＳ４５において、表紙のＢグループを最後の画像のグループに書き換えを行っているが、電子アルバム装置１０の撮影画像の表示面を閉じることなく、電源スイッチ４１をオフした場合には、表紙用表示制御部１１ｂは、このステップにおいて、ステップＳ４５と同様に、Ｂグループの書き換えを行う。
【００７２】
ステップＳ４５、またはステップＳ４７において、Ｂグループの書き換えを行うと、アルバム装置１０の再生表示のフローを終了するためのオフ処理を行ってから（Ｓ４８）、フローを終了する。
【００７３】
以上、説明したように本発明の一実施形態においては、電子アルバム装置１０の表紙に、電源オフ時にも表示された情報が保持される表示体（例えば、電子ペーパ）を配置し、表示用表示制御部１１ｂは、特定部グループ（図２に示す例ではＡグループ）に関する情報として、表紙操作部３４によって切換え可能な特定のグループに関する情報と共に、画像用表示制御部１１ｃが停止される直前に画像用制御表示部１１ｃが表示していた撮影画像に対応するグループに関する情報を表示するようにしている。このため、複数ある電子アルバムの中から、目的とする電子アルバムを探す場合、電子アルバム装置１０の電源をオンしなくても、検索の目安となる代表画像等、グループに関する情報が表示されていることから、簡単に電子アルバムを探すことができる。本実施形態においては、ユーザの指定によるグループ名３３ｂと、最後に見た画像のグループ名３３ｈが表紙に表示されることから、次に、電子アルバムを探し出す際に、便利である。最後に見た画像を再度、見たいのであれば、すぐに閲覧（再生）することができる。
【００７４】
次に、本発明の一実施形態における電子アルバム装置１０の第１の変形例を、図６を用いて説明する。本発明の一実施形態においては、ユーザが任意に設定することができるＡグループは１つしか設定することができない。これに対して、本変形例においては、Ａグループとして、複数のグループを設定することができる。
【００７５】
すなわち、図６に示すように、本変形例においては、Ａグループとして、グループ名３３ｂの「Ｆ  春休み」と、グループ名３３ｇの「Ｇ  ＧＷ」の２つのグループが表示されている。また、代表画像としても、「Ｆ  春休み」のグループ代表画像３３ｃと、「Ｇ  ＧＷ」のグループ代表画像３３ｒが表示されている。
【００７６】
また、それぞれのグループ名の両脇には、進みと戻しのアイコンを表示するようにしている。すなわち、「Ｆ  春休み」の両脇には、グループ進みスイッチ３３ｅとグループ戻しスイッチ３３ｆを表示し、「Ｇ  ＧＷ」の両脇には、グループ進みスイッチ３３ｓとグループ戻しスイッチ３３ｔを表示している。これらのグループ進みスイッチ３３ｅ、３３ｓとグループ戻しスイッチ３３ｆ、３３ｔは、表紙操作部３４によってタッチされた位置を判定し、グループの指定を行う。
【００７７】
本変形例においては、２つのグループを表示するようにしており、ユーザが２つのグループのいずれかを変更したい場合には、グループ進みスイッチ３３ｅ、３３ｓとグループ戻しスイッチ３３ｆ、３３ｔを適宜操作することにより、設定を変更することができる。また、ステップＳ３１において（図５参照）、Ａグループの画像を画像記憶部２１から読み出す際には、例えば、上側に配置されているグループ名３３ｂのグループに属する画像を読み出す等、予め決めておけばよい。
【００７８】
このように、本変形例においては、ユーザが任意に設定することのできるＡグループを複数、表示可能としているので、複数ある電子アルバム装置１０の中から、目的とする電子アルバム装置１０を探し出すにあたって、便利である。なお、図６には、Ａグループとして、２つのグループを設定可能としている例を示しているが、３以上の複数のグループを設定可能としても勿論かまわない。
【００７９】
次に、本発明の一実施形態における電子アルバム装置１０の第２の変形例を、図７を用いて説明する。一実施形態においては、電子アルバム装置１０の撮影画像の表示面として、第１部材５０の画像表示部２７Ａと、第２部材６０の画像表示部２７Ｂを設けていた。しかし、本変形例においては、撮影画像の表示面としては、第１部材５０の画像表示部２７Ａのみとし、第２部材６０には画像表示部を設けていない。
【００８０】
すなわち、図７（ａ）に示すように、本変形例においては、第１部材５０には、表紙７１が設けられており、この表紙７１における表示内容は、図２に示す本発明の一実施形態と同様である。しかし、電子アルバム装置１０の撮影画像の表示面を開くと、図７（ｂ）に示すように、第１部材５０の画像表示部２７Ａのみに撮影画像が表示可能であり、第２部材６０には画像表示部が設けられていない。
【００８１】
このように、本変形例においては、第２部材６０に画像表示部を省略している。このため、一度に表示することのできる撮影画像の枚数は少なくなるが、電子アルバム装置１０の厚さを薄くすることができる。
【００８２】
以上説明したように、本発明の一実施形態や変形例においては、表紙に設けた電子表示体３３に、表示操作部３４によって指定された特定のグループ（Ａグループ）に関する情報を表示させると共に、画像表示部２７における撮影画像の表示停止時におけるグループに関する情報を表示するようにしている。このため、グループに関する情報に基づいて、希望の電子アルバムを簡単に探し出すことが可能となる。すなわち、電源オフ時においても情報が保持される電子表示体に、撮影画像の属するグループの情報を表示するようにしているので、電子アルバムが複数ある場合であっても、電子アルバムの電源をオンにすることなく、簡単に希望の電子アルバムを探し出すことができる。
【００８３】
また、本発明の一実施形態や変形例においては、背表紙７２に第２の電子表示体３２によって、Ａグループに関する情報を表示している。このため、複数の電子アルバム装置１０が棚に並べられているような場合であっても、簡単に希望する電子アルバム装置１０を探し出すことができる。
【００８４】
さらに、本発明の一実施形態や変形例においては、電子アルバム装置１０を閉じた状態から開くと、Ａグループに対応する撮影画像を画像表示部２７に表示させている（図４のＳ１７Ｙｅｓ→Ｓ３１→Ｓ３４参照）。このため、Ａグループとして設定しておけば、電子アルバム装置１０を開くと、直ちにお気に入りのグループの撮影画像を鑑賞することができる。
【００８５】
さらに、本発明の一実施形態や変形例においては、電子アルバム装置１０の電源をオンとしなくても、電子アルバム装置１０を開くと、画像表示部２７に撮影画像の表示が開始される（図４のＳ２１Ｙｅｓ→Ｓ３２参照）。また、電子アルバム装置１０を閉じると、撮影画像の表示を停止する（図５のＳ４４Ｙｅｓ→Ｓ４５→Ｓ４８参照）。このため、わざわざ電源スイッチ４１の操作を行わなくても、撮影画像の鑑賞や停止を行うことができ、便利である。
【００８６】
なお、本発明の一実施形態や変形例においては、画像表示部２７の表示面は２面または１面の例について説明したが、これに限らず、画像表示部の表示面は３面以上としても勿論かまわない。また、背表紙７２にもタッチパネルを設けるようにして、現在電源スイッチ４１に配置されている箇所へのタッチ操作で電源が入るようにしてもよい。そして、グループ名３２ｍや代表画像３２ｐへのタッチ操作で、グループを切り換えるようにしてもよい。
【００８７】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００８８】
１０・・・電子アルバム装置、１１・・・制御部（ＣＰＵ）、１１ａ・・・入力検出部、１１ｂ・・・表紙用表示制御部、１１ｃ・・・画像用表示制御部、１１ｄ・・・アルバム管理部、１２・・・プログラム／データ記憶部、２１・・・画像記憶部、２２・・・再生部、２３・・・伸張部、２４・・・ＳＤＲＡＭ、２５・・・画像処理部、２６・・・画像表示駆動部、２７・・・画像表示部、２７Ａ・・・画像表示部、２７Ｂ・・・画像表示部、２７ａ・・・グループ名、２７ｂ・・・グループ期間、２７ｃ・・・画像、２７ｄ・・・グループタブ、２７ｆ・・・複数戻しアイコン、２７ｇ・・・単純戻しアイコン、２７ｈ・・・単純送りアイコン、２７ｉ・・・複数送りアイコン、３０・・・タッチパネル、３０Ａ・・・タッチパネル、３０Ｂ・・・タッチパネル、３１・・・表紙表示部駆動部、３２・・・第２電子表示体、３２ｋ・・・全体期間、３２ｍ・・・グループ名、３２ｎ・・・グループ期間、３２ｐ・・・グループ代表画像、３３・・・電子表示体、３３ａ・・・全体期間、３３ｂ・・・グループ名、３３ｃ・・・グループ代表画像、３３ｄ・・・グループ期間、３３ｅ・・・グループ進みスイッチ、３３ｆ・・・グループ戻りスイッチ、３３ｇ・・・最後のグループ代表画像、３３ｈ・・・最後のグループ名、３３ｉ・・・最後のグループ期間、３３ｑ・・・グループ名、３３ｒ・・・グループ代表画像、３３ｓ・・・グループ進みスイッチ、３３ｔ・・・グループ戻りスイッチ、３５・・・バス、３７・・・電池、４０・・・開閉スイッチ、４０ａ・・・開閉スイッチ、４０ｂ・・・開閉スイッチ、４１・・・電源スイッチ、５０・・・第１部材、６０・・・第２部材、７１・・・表紙、７２・・・背表紙
【図１】
2011191382.tif 000003
【図２】
2011191382.tif 000004
【図３】
2011191382.tif 000005
【図４】
2011191382.tif 000006
【図５】
2011191382.tif 000007
【図６】
2011191382.tif 000008
【図７】
2011191382.tif 000009